(57)【要約】【課題】ウレタン製の育苗マットによる育苗方法に関して、覆土する量や育苗マットに挿す苗の挿し深さをより適切にすることでより良い育苗技術の向上を図ることを課題とする。【解決手段】ウレタン製の育苗マットに苗を挿し、該苗を挿した育苗マット面を覆土する育苗方法において、前記覆土する肥料成分を含有する土の体積が育苗マットの体積の１０％〜３０％になるように覆土し、前記育苗マットに挿す苗の深さを育苗マットの厚さ方向の略中間程度まで挿すようにした。【選択図】図３
2005160328.tif 000002
【特許請求の範囲】
【請求項１】
発泡ウレタン製の育苗培地２に播種或は苗Ｗを挿し、肥料としての窒素成分を１００〜８００ｍｇ／リットル含有し、前記育苗培地２の体積の１０％〜３0％に相当する量の土Ｒを覆土して育苗することを特徴とする育苗方法。
【請求項２】
密度を２５Ｋｇ／立方メートルより大で５０Ｋｇ／立方メートル以下とした発泡ウレタンからなる育苗培地２に苗Ｗの茎部Ｗｃを挿して育苗することを特徴とする育苗方法。
【請求項３】
苗Ｗの茎部Ｗｃの下端部Ｗｄが発泡ウレタン製の育苗培地２の底面に達しない状態にして苗の茎部Ｗｃを育苗培地２の上面から底面に向けて挿して育苗することを特徴とする育苗方法。
【発明の詳細な説明】
【技術分野】
【０００１】
本発明は、発泡発泡ウレタン製の育苗培地を使用して育苗する育苗方法に関するものである。
【背景技術】
【０００２】
発泡ウレタン製の育苗培地に関する技術に関して例えば特許文献1に開示されている。
特許文献1のような発泡ウレタン製の育苗培地で育苗する技術は、育苗培地の重量を軽くでき、移植時に運搬し易い等の利点がある。
【特許文献１】特開２０００−８３４８１号公報
【発明の開示】
【発明が解決しようとする課題】
【０００３】
発泡ウレタン製の育苗培地に肥料分を含ませることは技術的に困難なため、肥料分を含まない発泡ウレタン製育苗培地で育苗する場合には発泡ウレタン以外のものから肥料を苗に供給しなければならない。育苗培地の上に覆土した場合、その覆土に含まれる肥料が育苗中に消費されることになる。しかし、肥料分を多くするために、覆土する土の量が多くなりすぎると育苗培地の重量が重くなり、発泡ウレタン製のマットを使用する利点が半減する。反対に覆土する量が少なすぎると肥料分が少なくなり、適正な育苗作業が容易に行い難くなってしまう。
【０００４】
また、発泡ウレタン製の育苗培地に苗を挿して育苗する場合には、挿した苗が傾いたり倒れたりしたり、根が培地中に十分張らない場合が生じることもある。
本発明は、上記課題を解決する事により発泡ウレタン製の育苗培地による育苗技術の向上を図ることを課題とする。
【課題を解決するための手段】
【０００５】
本発明は、上記課題を解決するために次のような技術的手段を備える。
すなわち、請求項1記載の発明においては、発泡ウレタン製の育苗培地２に播種或は苗Ｗを挿し、肥料としての窒素成分を１００〜８００ｍｇ／リットル含有し、前記育苗培地２の体積の１０％〜３0％に相当する量の土Ｒを覆土して育苗することを特徴とする育苗方法とする。
【０００６】
請求項２記載の発明においては、密度を２５Ｋｇ／立方メートルより大で５０Ｋｇ／立方メートル以下とした発泡ウレタンからなる育苗培地２に苗Ｗの茎部Ｗｃを挿して育苗することを特徴とする育苗方法とする。
【０００７】
請求項３記載の発明においては、苗Ｗの茎部Ｗｃの下端部Ｗｄが発泡ウレタン製の育苗培地２の底面に達しない状態にして苗の茎部Ｗｃを育苗培地２の上面から底面に向けて挿して育苗することを特徴とする育苗方法とする。
【発明の効果】
【０００８】
請求項1記載の発明においては、発泡ウレタン製の育苗培地２を用いたことによって、苗の軽量化が適度に図れ、且つ、育苗中に必要な肥料を覆土中から適度に苗へ供給できて、適正な育苗を容易に行うことができる。
【０００９】
請求項２記載の発明においては、密度を２５Ｋｇ／立方メートルより大で５０Ｋｇ／立方メートル以下とした発泡ウレタンからなる育苗培地２に苗Ｗの茎部Ｗｃを挿して育苗することで、挿した苗が傾いたり倒れたりしにくくなって適正な育苗が行いやすくなる。
【００１０】
請求項３記載の発明においては、前記苗Ｗの茎部Ｗｃの下端部Ｗｄを発泡ウレタン製の育苗マット２の底面に達しない程度まで挿して育苗するようにしたことで、育苗マット２内部に根Ｗが多く生え易くなるため、発根量が増えて活着を促進し、育苗マット２自体の強度が向上することで、移植機Ｔの植付爪Ｙで育苗マット２を掻き取り圃場に植え付けるとき、苗がマットから抜けて、適正に植付できなくなることが生じにくくなる。
【発明を実施するための最良の形態】
【００１１】
本発明を実施するための最良の形態となる育苗方法の構成を図面に基づいて説明する。
図1は底面に多数の排水孔１ａを設けた育苗箱１と、育苗培地である発泡ウレタン製の育苗マット２で、育苗マット２を育苗箱1内に収容している。そして、育苗マット２には図２、図３に示すように苗Ｗを縦横に略一定間隔に多数挿している。本実施の形態においては、菊やサツキ等のように根が大きくて根が少ない苗で根張りができ難い等の理由で移植機Ｔの植付爪Ｙが掻き取り難く、いわゆるポット式の育苗に不向きな苗やい草の苗について用いている。
【００１２】
育苗マット２は密度が２５ｋｇ／立方メートルより大きく、５０ｋｇ／立方メートル以下の硬めの発泡ウレタンを使用しており、これにより挿した苗の姿勢が固定し、姿勢が傾いたり倒れたりし難く、適正な育苗が行いやすくなるという効果を奏している。
【００１３】
本実施の形態の育苗培地とは育苗マット２に限らず、多数のポット孔を有するいわゆる育苗ポットにおいても使用可能で、この場合にはポット孔毎にこの発泡ウレタンを入れた育苗培地にそれぞれ苗を挿して、覆土するようにする。
【００１４】
なお、前記苗Ｗの茎部Ｗｃの下端部Ｗｄを育苗マット２の表面から厚み方向に向かって挿すときには、図４の（ロ）に示すように発泡ウレタン製の育苗マット２の底面に達しない程度まで挿しておく。できるだけ、育苗マット２の厚み方向の略中間位置Ｐまで挿しておくことが望ましい。
【００１５】
苗Ｗを挿している育苗マット２を育苗器１に収容すると、窒素成分を１００〜８００ｍｇ／リットル含有する土Ｒを覆土する。また、この覆土する土Ｒは比重が１．０程度の土を使用し、水分は埃が出ない程度に乾燥しているのが望ましい。そして、育苗マット２の体積の１０％〜３0％程度の体積にあたる量の土Ｒを覆土する。
【００１６】
ところで、育苗マット２の体積の３０％以上の量の土Ｒを覆土する土Ｒの量が多くなり過ぎ、作業者にとって軽くて取り扱い易いという発泡ウレタン製の育苗マット２の特徴が半減する。他方１０％以下の体積の土Ｒを覆土すると土Ｒの量が少なくなりすぎて、その分肥料分が少なくなってしまい、その結果、適切な育苗を阻害する。
【００１７】
育苗マット２を使用する育苗においては、育苗マット２に肥料が入っていないことや、乾燥しやすいことなどの欠点があり覆土する土の量が重要であるが、本実施の形態のような肥料としての窒素成分を含有し、前記の範囲の量の土Ｒを覆土することで追肥をほとんどする必要が無く、適切な育苗を行うことができる。
【００１８】
なお、覆土する土Ｒに添加する窒素量の内約半分をアンモニア態窒素のような即効性窒素とし、残りの約半分をコーティング肥料のような緩効性窒素とする。
発泡ウレタン製の育苗マット２には肥料を含んでいないため、覆土する土に肥料分を加える必要があるが、通常用いられる硫安等を多く使用して高濃度にすると発芽障害が生じる可能性がある。そこで、本件のような配合にすることで発芽障害を防止し、かつ、長期間肥料の効果を持続させることが可能になるため良好な育苗をすることが可能になる。
【００１９】
次に育苗マット２で育苗した苗Ｗを移植機Ｔで移植する作業を説明する。
移植機Ｔは車体Ｊ、操作部Ｋ、そして育苗マット２を載置する育苗マット載置部Ｌ、植付軌跡Ｓに沿って苗Ｗを圃場に植え付ける一対の植付爪Ｙ等から構成し、作業者は車体Ｊを走行させながら育苗箱１から苗Ｗを挿している状態の育苗マット２を取り出し、育苗マット２を育苗マット載置部Ｌに載置する。すると、植付爪Ｙが育苗マット２から１本分の苗を発泡ウレタンごと順次掻き取り、挟持して植付軌跡Ｓに沿って圃場に植え付ける。
【００２０】
このとき、図４の（イ）に示すように苗Ｗの茎部Ｗｃの下端部Ｗｄが底面まで達した状態で育苗した育苗マット２の苗を植えようとすると、この育苗マット２は、苗Ｗの根Ｗａが主に育苗マット２の底部にかけて多く張っている状態で、育苗マット２内部に張る根Ｗａが少ないため、移植時に植付爪Ｙが苗Ｗを育苗マット２ごと苗Ｗを掻き取ったとき（図１３参照）、図５の（イ）に示すように苗の根の部分に育苗マット２がついていない状態の苗Ｗのため、植付爪Ｙが圃場に苗Ｗ植え付けるとき苗Ｗが植付爪Ｙから抜けて適正に植付できなくなり、その結果、植付精度の低下を招いていた。
【００２１】
本実施の形態である図４の（ロ）のように苗Ｗの茎部Ｗｃの下端部Ｗｄを育苗マット２の厚み方向の底面に達しない位置、とりわけ育苗マット２の厚み方向の略中間位置Ｐまで挿しておくことで、根Ｗａが育苗マット２内に多く張るようになる。従って、苗Ｗの発根量が増えて活着を促進し、育苗マット２自体の強度が向上する。また、植付爪Ｙで苗Ｗを育苗マット２ごと掻き取ったとき、図５の（ロ）に示すように根の部分に育苗マット２がしっかりと付着している状態になるため、植付爪Ｙが苗Ｗを確実に挟持して圃場に植付をすることが可能になり、植付精度の向上を図ることができる。
【００２２】
なお、苗Ｗを育苗マット２に挿すときは図１４に示すように、苗Ｗの初期の本葉Ｗｂの展開方向が植付爪Ｙと同じ方向になるように揃えて挿しておくと、苗が成長して葉の数が増加しても略葉Ｗｂの展開方向は植付爪Ｙの掻き取り方向と略同じ方向になるため、植付爪Ｙが育苗マットごと苗を掻き取るとき植付爪Ｙに葉Ｗｂが絡むことを防止することができる。
【００２３】
次に種子Ｂを育苗マット２に播種して育苗するための育苗マットの構成、及び播種方法について説明する。
図６は発泡ウレタン製の育苗マット２に直線状の溝２ａを縦横に略一定間隔に多数設けている。そして、一つの区画に一つの種子Ｂを入れる播種孔２ｂをそれぞれ設けている。
【００２４】
この育苗マット２に播種機Ｈを用いて播種及び覆土をする工程について図９に基づいて説明する。
まず、Ｋ方向に進行する搬送ベルト（図示せず）を播種台６に備え、育苗マット２を収容した育苗箱１を該搬送ベルトに載置すると育苗箱はＫ方向に進行し、播種装置３で各播種孔２ｂに一粒ずつ種子Ｂを供給する。そして、覆土装置４で覆土され、次いで施肥装置５で緩行性のコーティング肥料Ｇを施肥される。
【００２５】
この施肥装置５は図１０に示すように、施肥ベルト５ａにコーティング肥料Ｇが１粒程度が入る幅の溝５ｂを複数条切り、溝５ｂと交差する方向にブラシ５ｃを取り付けている。そして、供給されたコーティング肥料Ｇをブラシ５ｃで慣らすことで一条の溝５ｂに一粒ずつの肥料Ｇが列になって入り込み施肥ベルト５ａで搬送され覆土した土Ｒの上面に順次落としていく。このとき、一つの区画に所定の粒数の肥料Ｇが落ちるように施肥ベルト５ａと搬送ベルト（図示せず）の速度を調節できる用にすることが望ましい。また、覆土して肥料を施肥した後の育苗箱１を作業者が運搬する際、施肥した肥料が育苗箱１から落ちたりしないよう、施肥装置の後工程に潅水装置（図示せず）を備え、潅水をして肥料Ｇの位置のずれを防止するようにしても良い。
【００２６】
肥料の高濃度から生じる発芽障害を防止するために使用する緩効性のコーティング肥料Ｇを予め土Ｒに混ぜたものを覆土に使用すると、コーティング肥料Ｇを混ぜてから覆土するときまで保管期間が長くなった場合、保管中にコーティング肥料Ｇが土中の水分と温度に反応して溶け出し、土中の肥料濃度が変化し、覆土するときにその分高濃度になり、発芽障害が発生するという不具合が生じていた。
【００２７】
この実施例のように覆土装置４とコーティング肥料Ｇ用の施肥装置５とを別個に設けたことで、覆土するときの土Ｒの肥料濃度は安定しているため、発芽障害を防止することができる。また、この実施例のような施肥装置５に構成することで一区画毎に均等にコーティング肥料Ｇを育苗箱１内に施肥することができるため、苗Ｗが均一に成長することが可能なり、かつ、作業者が追肥を頻繁に行う手間を省くことができる。
【００２８】
この実施例の他にも例えば、図７に示すように、覆土装置４の前工程に施肥装置５を配置して、溝２ａにコーティング肥料Ｇを供給してから覆土装置４で覆土するようにしても良い。また、播種孔２ｂに種子Ｂと共にコーティング肥料Ｇを入れるように構成しても良い。
【図面の簡単な説明】
【００２９】
【図１】育苗箱と育苗マットの斜視図
【図２】本発明の実施の形態を示す斜視図
【図３】本発明の実施の形態の育苗器の一部破断側面図
【図４】苗Ｗを育苗マット２に挿していることを示す図
【図５】移植機で掻き取った後の苗を示す図
【図６】別実施の形態の育苗マットの斜視図とその拡大図
【図７】別実施の形態の作業状態を説明する図
【図８】別実施の形態の作業状態を説明する図
【図９】播種機の側面図
【図１０】施肥作業を説明する側面図
【図１１】施肥作業を説明する平面図
【図１２】移植機の側面図
【図１３】植付作業を説明する正面図
【図１４】平面から見た育苗マットの一部拡大図
【符号の説明】
【００３０】
１    育苗箱
２    育苗マット
Ｗ    苗
Ｒ    土
【図１】
2005160328.tif 000003
【図２】
2005160328.tif 000004
【図３】
2005160328.tif 000005
【図４】
2005160328.tif 000006
【図５】
2005160328.tif 000007
【図６】
2005160328.tif 000008
【図７】
2005160328.tif 000009
【図８】
2005160328.tif 000010
【図９】
2005160328.tif 000011
【図１０】
2005160328.tif 000012
【図１１】
2005160328.tif 000013
【図１２】
2005160328.tif 000014
【図１３】
2005160328.tif 000015
【図１４】
2005160328.tif 000016